(57)【特許請求の範囲】
【請求項１】
装置本体(11)に収納した飲料タンク(14)と、この飲料タンク(14)に接続し、前記装置本体(11)の前部に配設されたフロントパネル(25)の前方に臨む注出コック(27)と、該注出コック(27)の下方に臨むフロントパネル(25)に形成された後側に凹む嵌合凹部(29)に前側から着脱可能に嵌合される嵌合凸部(38)が後部に形成され、容器が上面に載置される受皿(36)とを備え、前記飲料タンク(14)に貯溜されている飲料を、前記受皿(36)に載置されて注出コック(27)の下方に臨ませた容器に該コック(27)を介して注出するようにした飲料ディスペンサにおいて、
前記飲料タンク(14)が収納されて、該タンク(14)内の飲料を冷却または加熱する液体が貯溜される液槽(13)に排水ホース(30)の一端部が連通接続され、該排水ホース(30)の他端部が、前記受皿(36)の後側に位置して該ホース(30)を挿通可能な内径寸法に設定された装着部(31)に前側への引出し可能に装着されている
ことを特徴とする飲料ディスペンサ。
【請求項２】
前記装置本体(11)の下面にフィルタ(24)が前側から着脱可能に取付けられ、該フィルタ(24)は、前記フロントパネル(25)に取付けられた受皿(36)で常には隠れ、該受皿(36)をフロントパネル(25)から取外すことで、装置本体(11)の前側からフィルタ(24)の取外しおよび取付けを行ない得るよう構成される請求項１記載の飲料ディスペンサ。
【請求項３】
水平方向への移動が規制されると共にその後部側が下方へ傾動するのは許容された状態でスノコ(39)が前記受皿(36)に着脱可能に載置され、このスノコ(39)の後部には、前記フロントパネル(25)に形成した被係合部(29b,29b)に係合してスノコ(39)および受皿(36)の前側への移動を規制する係合部(40c,40c)が形成され、受皿(36)に対してスノコ(39)の後部側を下方へ傾動することで被係合部(29b,29b)に対する係合部(40c,40c)の係合が解除されるよう構成される請求項１または２記載の飲料ディスペンサ。
【請求項４】
前記フロントパネル(25)には、前記スノコ(39)における係合部(40c,40c)の上方で前面側に出口(41a)が開口する接続部(41)が形成され、該接続部(41)のパネル後側に臨む部位にドレンホース(17)が着脱可能に接続される請求項３記載の飲料ディスペンサ。
【請求項５】
前記排水ホース(30)の他端部にキャップ(32)が着脱可能に取付けられ、前記装着部(31)には、該キャップ(32)の後側への移動を規制する規制部(34)が設けられている請求項１〜４の何れかに記載の飲料ディスペンサ。
【請求項６】
前記キャップ(32)には、前記排水ホース(30)に嵌挿される挟圧部(32c)が設けられ、該挟圧部(32c)と装着部(31)との間で排水ホース(30)を挟持するよう構成される請求項５記載の飲料ディスペンサ。
【発明の詳細な説明】
【０００１】
【発明の属する技術分野】
この発明は、飲料ディスペンサに関し、更に詳細には、飲料タンクに連通接続する注出コックの下方に配設した受皿に載置したコップ等の容器に、該タンクに貯溜されている飲料を注出コックを介して注出する飲料ディスペンサに関するものである。
【０００２】
【従来の技術】
アイスコーヒーやジュース等の冷たい飲料を注出する飲料ディスペンサとして、蓄氷式のディスペンサが知られている。この飲料ディスペンサの概略構造を述べれば、装置本体の内部に、冷却水が貯溜された水槽が配設されると共に、該水槽の内部に、所要量の飲料を貯溜する飲料タンクが冷却水に一部を浸漬した状態で収納される。また冷凍装置から導出する蒸発管が、飲料タンクを取囲む巻回状態で配置されるようになっている。そして、冷凍装置の冷却運転により冷却水を蒸発管の周囲に氷結させ、得られた氷塊により冷却される冷却水を介して飲料タンク内の飲料を間接的に冷却するよう構成している。また飲料タンクは、装置本体の前部に配設したフロントパネルの前方に臨むよう配設された注出コックに連通接続され、該コックを開放操作することで、タンク内の飲料は注出コックを介して注出されるようになっている。
【０００３】
前記飲料ディスペンサでは、装置本体の下面から内部に吸込んだ外部空気により、前記冷凍装置の凝縮器を空冷する構造が採用されており、外部空気から塵埃等を除去するためのフィルタが、装置本体の下面側に着脱可能に配設されている。また飲料ディスペンサでは、注出コックの下方に受皿を配設し、該受皿に取付けられているスノコにコップ等の容器を載置した状態で、前記注出コックから容器に飲料を注出するよう構成される。この受皿には、容器に飲料を注出した際に該容器から溢れた飲料や、飲料注出後に注出コックから滴下する飲料が溜るため、該飲料(排液)を排出する必要がある。そこで、装置本体に配設した取付部材やネジ等に受皿を着脱可能に引掛けて取付けるよう構成することで、必要に応じて該受皿を装置本体から取外して溜った排液を排出したり清掃し得るよう構成されている。
【０００４】
更に、前記飲料ディスペンサでは、前記水槽から溢れたドレン水を排出するためのドレンホースが、前記受皿の上方または内部に臨むように、装置本体の前面に延出するよう配設され、該ホースからのドレン水を受皿に排出している。また、前記水槽から必要に応じて冷却水を抜取るための技術が、前記飲料ディスペンサに採用されている。すなわち、水槽に連通接続する排水管を装置本体における受皿の配設位置まで配管し、冷却水の抜取りに際しては受皿を取外した状態で、該排水管の排出口に取付けられているゴム栓を取外すことで、適宜の受容器に冷却水を排出するようになっている。なお、冷却水の抜取りに関する別の技術として、受皿より下方に臨む装置本体に配設した排出用コックに前記排水管を接続し、該コックの開放操作により冷却水を受容器に排出するものがある。更には、前記排水管を装置本体の下面まで配管すると共に、この排水管にエルボを介して排水ホースを接続し、該ホースを固定具で本体下面に取外し可能に取付ける構成も採用されることがあり、この技術では冷却水の抜取りに際しては、排水ホースを固定具から取外して装置本体の前方に引出し、該ホースの排出口にバンドを介して取付けられているキャップを取外した状態で、冷却水を受容器に排出している。
【０００５】
【発明が解決しようとする課題】
前記飲料ディスペンサの受皿を装置本体に取付けるための前記取付部材やネジは、該本体の前面から突出しているため、受皿を取外したときに、該取付部材やネジが出張るために引掛けるおそれがある。また部品点数が多くなるので、組立て工数が増えると共にコストが嵩む難点が指摘される。
【０００６】
前記飲料ディスペンサにおける装置本体の下面側に配設されるフィルタは、前記受皿より下方に臨み、該受皿が装置本体に取付けられている状態で、装置本体に取付けたり取外しが可能に構成されている。しかるに、この構成では装置本体の高さ寸法が高くなって大型化すると共に、前面側からフィルタが見えてしまうため、見栄えが劣る欠点がある。
【０００７】
前記ドレン水の排出処理に関し、前記ドレンホースを受皿の内部に臨むよう配設した場合、該ホースが外部に露出しないために見栄えは良いが、前記取付部材やネジ等に対して受皿を取付けたり取外す際に、該ドレンホースが邪魔となって作業が煩わしくなる。また、ドレンホースを受皿の上方に臨むように配設する場合は、受皿の取付けや取外しには支障を来たさないが、該ドレンホースが常に露出しているために見栄えが劣ると共に、容器を前記スノコに載置したり該容器を持上げる際にドレンホースに引掛ける難点が指摘される。
【０００８】
前記受皿に対してスノコは、その上部に被せる構造が採用されるが、この構造ではスノコの移動は確実に規制できるが、スノコの構造が複雑となってコストが嵩む問題を招く。なお、受皿にスノコを載置するだけでは、該スノコが容易に移動するため、スノコに容器が載置されている状態で該スノコに力が加わって移動すると、該容器が倒れて飲料が零れるおそれがある。
【０００９】
前記冷却水の抜取り技術において、前記排水管を装置本体の前面に固定的に配管する構造では、何れもその排出口の位置が低いため、冷却水を受容するための受容器として大きなものが使用できず、該受容器により冷却水を捨てる回数が多くなって不便であった。またゴム栓により排出口を閉塞しているものでは、該栓を取外すときに冷却水が零れ易く、周囲を濡らしてその後の掃除が煩雑であった。しかも、受皿を取外した際にゴム栓が露出するため、清掃等の作業中にゴム栓に手指や清掃具等が当って外れる等の問題もあった。なお、排出用コックを用いる構造では、該コックが高価でディスペンサ全体のコストアップを招く。
【００１０】
また排水ホースを用いる場合は、装置本体の前方に該ホースを引出して冷却水を排出処理し得るから、大きな受容器を用いることができ、排出処理は容易となる。しかし、不使用時には装置本体の下面に排水ホースは収容されているが、装置下面からの取出しを可能とするために前記キャップは露出しており、従って清掃等に際して手指や清掃具等が該キャップに当って外れるおそれがある。更には、部品点数が多く、コストが嵩む難点も指摘される。
【００１１】
【発明の目的】
本発明は、前述した従来の技術に内在している前記課題に鑑み、これを好適に解決するべく提案されたものであって、受皿の着脱が容易で部品点数を低減することができ、また外観を良好にし得ると共に、液体が零れるのを防止し得る飲料ディスペンサを提供することを目的とする。
【００１２】
【課題を解決するための手段】
前記課題を克服し、所期の目的を好適に解決するため、本発明に係る飲料ディスペンサは、
装置本体に収納した飲料タンクと、この飲料タンクに接続し、前記装置本体の前部に配設されたフロントパネルの前方に臨む注出コックと、該注出コックの下方に臨むフロントパネルに形成された後側に凹む嵌合凹部に前側から着脱可能に嵌合される嵌合凸部が後部に形成され、容器が上面に載置される受皿とを備え、前記飲料タンクに貯溜されている飲料を、前記受皿に載置されて注出コックの下方に臨ませた容器に該コックを介して注出するようにした飲料ディスペンサにおいて、
前記飲料タンクが収納されて、該タンク内の飲料を冷却または加熱する液体が貯溜される液槽に排水ホースの一端部が連通接続され、該排水ホースの他端部が、前記受皿の後側に位置して該ホースを挿通可能な内径寸法に設定された装着部に前側への引出し可能に装着されていることを特徴とする。
【００１３】
【発明の実施の形態】
次に、本発明に係る飲料ディスペンサにつき、好適な実施例を挙げて、添付図面を参照しながら以下説明する。なお実施例では、アイスコーヒーやジュース等の冷たい飲料を注出する蓄氷式の飲料ディスペンサを例示する。
【００１４】
図１は、実施例に係る飲料ディスペンサの全体構造を示すものであって、該飲料ディスペンサ１０では、上方に開口する装置本体としての筐体１１の内部に、その底板１１ａに配設した架台１２に載置された状態で断熱構造の水槽(液槽)１３が配設されると共に、該水槽１３の内部には、所要量の飲料を内部画成した貯溜部１４ａに貯溜する飲料タンク１４が、水槽１３の内側面に対して所定間隔離間して収納されている。水槽１３の内側面と飲料タンク１４の外側面とで画成される貯溜空間１３ａに、熱交換用の液体である冷却水としての水道水が供給されて略満水状態で貯溜されるようになっている。また貯溜空間１３ａには、筐体１１内に配置した冷凍装置１５から導出する蒸発管１６が、飲料タンク１４を取囲む巻回状態で配置され、該冷凍装置１５の冷却運転により貯溜空間１３ａに貯溜されている冷却水を蒸発管１６の周囲に氷結させるよう構成される。
【００１５】
なお、前記架台１２には、前記水槽１３からオバーフローした冷却水を排出するドレンホース１７が、後述するフロントパネル２５に着脱可能に接続され、該パネル２５に取付けられている受皿３６(後述)にドレン水を排出し得るよう構成されている。
【００１６】
前記水槽１３の貯溜空間１３ａに連通する循環ポンプ１８が前記架台１２に配設されており、該ポンプ１８により前記冷却水を循環することで蒸発管１６に氷結する氷塊の厚みを均一化させると共に、該冷却水により飲料タンク１４を冷却して前記貯溜部１４ａ内の飲料を間接的に冷却するよう構成されている。また前記筐体１１の内部後側に、前記冷凍装置１５を構成する凝縮器１９とファンモータ２０とが上下の関係で配設されると共に、冷凍装置１５の圧縮機２１が載置される前記底板１１ａには吸込口(図示せず)が形成してある。そして、ファンモータ２０の回転により吸込口から吸込んだ外部空気で凝縮器１９を空冷すると共に、熱交換した空気を後述するトップパネル４３の吹出口４３ａから排出するようになっている。なお、底板１１ａの下面には、その各隅部に脚２２が夫々配設され、これら脚２２によって底板下面に、前記吸込口からの外部空気の吸込みを許容するための吸込空間を画成するよう構成される。
【００１７】
前記底板１１ａの下面には、図３に示す如く、前記吸込口の形成部位を挟む幅方向の両側に、前後方向に所定長さで延在する一対のガイドレール２３,２３が平行に配設されている。そして、このガイドレール２３,２３に対し、フィルタ２４が前側から挿脱可能に挿入案内されて吸込口の下面を覆うように配設され、該吸込口を介して吸込まれる外部空気に含まれる塵埃を、該フィルタ２４で除去するよう構成される。また、フィルタ２４の前端には摘み２４ａが設けられ、該フィルタ２４の挿脱時には作業者が摘み２４ａを摘んだ状態で取扱うようになっている。なお、フィルタ２４を底板１１ａの下面に取付けた状態で、前記摘み２４ａは、前記受皿３６により常には隠れ、飲料ディスペンサ１０を前側から視た場合にフィルタ２４が露出せず、良好な外観を呈するよう構成される。但し、受皿３６を後述するようにフロントパネル２５から取外すことで、前記摘み２４ａを介してフィルタ２４の取外しおよび取付けを容易に行ない得るようになっている。
【００１８】
前記筐体１１の前部には、図５および図６に示すフロントパネル２５が着脱可能に配設されており、該パネル２５の適宜位置に形成した通孔２５ａに、前記飲料タンク１４に連通する注出管２６の端部が挿通されて、この端部に注出コック２７が着脱可能に取付けられることで、図１および図２に示すように、該注出コック２７がフロントパネル２５の前方に臨むよう構成される。そして、この注出コック２７を開放操作することで、飲料タンク１４に貯溜されている飲料が該コック２７から注出されるようになっている。なお、フロントパネル２５は、筐体１１に配設された取付板２８、前記底板１１ａおよび水槽１３に対して夫々ネジ止めされている。
【００１９】
前記フロントパネル２５における前記通孔２５ａの形成位置より下方には、図４および図７に示す如く、その前面より筐体内方(後側)に凹む嵌合凹部２９が形成されており、この嵌合凹部２９に受皿３６の嵌合凸部３８(後述)が前側から着脱可能に嵌合されるようになっている。また嵌合凹部２９の後壁２９ａには、前記循環ポンプ１８の吸引口から分岐する(水槽１３に一端部が連通接続される)小径の排水ホース３０の他端部が着脱可能に装着される装着部３１が形成されている。なお、排水ホース３０の他端部には、該ホース３０の外径より大径に設定された頭部３２ａと、該頭部３２ａに突設されて排水ホース３０に嵌挿される嵌挿部３２ｂとからなるキャップ３２が、その嵌挿部３２ｂを排水ホース３０に嵌挿した状態で着脱可能に取付けられて閉塞されている。前記装着部３１は、排水ホース３０が挿通可能な内径寸法に設定された前後に貫通する通孔３３ａを形成した筒部３３を備え、排水ホース３０の他端部は通孔３３ａに後側から前側に挿通されると共に、前側への引出し可能に構成されている。また筒部３３の前部には、その上下位置に、前記キャップ３２における頭部３２ａの後面外端縁に当接して、該キャップ３２の後側への移動を規制する規制部３４が夫々形成してある。なお、頭部３２ａが規制部３４,３４に当接した状態で、該頭部３２ａは前記嵌合凹部２９内に突出しないよう構成される。また実施例では、装着部３１は筒部３３と規制部３４,３４とから構成される。
【００２０】
前記嵌合凹部２９の後壁２９ａには、前記規制部３４,３４の形成位置に対応して、該規制部３４,３４を挟む幅方向の左右に延在する凹部３５が、前記筒部３３の前端部に至る深さで凹設されている。そして凹部３５は、排水ホース３０を前側に引出す際に、規制部３４,３４に当接しているキャップ３２やホース端部を手指で摘むために利用される。また、前記キャップ３２の嵌挿部３２ｂにおける延出端部には、図４に示す如く、排水ホース３０の内径より大径に設定された挟圧部３２ｃが形成され、該挟圧部３２ｃと筒部内周面との間で排水ホース３０を挟持することで、当該ホース３０からキャップ３２が簡単には抜けないよう構成される。なお、筒部３２の前部内周面には、前端から後側に向かうにつれて縮径する傾斜面３３ｂが形成され、前記挟圧部３２ｃにより所要径だけ拡大した排出ホース３０の当該拡大部位の筒部内への挿入を円滑に行ない得るようになっている。
【００２１】
前記フロントパネル２５に着脱可能に取付けられる受皿３６は、図８および図９に示す如く、所要深さに設定されたトレー状の本体３７の後部に、該本体３７の底面に対し所定高さだけ上方に底面が臨むと共に後方に延出する嵌合凸部３８が一体的に形成されている。そして、この嵌合凸部３８を前記フロントパネル２５の嵌合凹部２９に前側から嵌合することで、該受皿３６がフロントパネル２５に位置め状態で取付けられる(図４参照)。すなわち、嵌合凸部３８の上端面および下端面が、嵌合凹部２９の内部上端面および内部下端面に当接して、受皿３６の上下方向の移動が規制される。また嵌合凸部３８の幅方向左右の外側面が、嵌合凹部２９の幅方向左右の内側面に当接して、受皿３６の左右方向の移動が規制されて、当該受皿３６がフロントパネル２５に正しい姿勢で位置決めされる。なお、フロントパネル２５に受皿３６を取付けた状態で、前記フィルタ２４の摘み２４ａが、嵌合凹部２９の下方に臨み、嵌合凸部３８より底面が下方に位置する本体３７により該摘み２４ａが隠れるよう設定される。
【００２２】
前記受皿３６の本体３７の内部における前壁面および幅方向に対向する両側壁面には、その上端から所定高さだけ下がった段部３７ａが形成され、該段部３７ａにスノコ３９が、受皿３６に対して水平方向への移動が規制された状態で着脱可能に載置される。また本体３７の両側壁面には、前記嵌合凸部３８との境界近傍に、内側に突出する枢支片３７ｂ,３７ｂが対向的に形成され、該枢支片３７ｂ,３７ｂに、スノコ３９の後述する枢支凹部３９ａ,３９ａが係合載置されるようになっている。
【００２３】
前記スノコ３９は、図１０に示す如く、横桟と縦桟とを格子状に配設して構成され、その上下の厚み寸法は、前記受皿３６の段部３７ａの深さ寸法と略同一に設定され、該段部３７ａに載置された状態で、受皿３６およびスノコ３９の上面が略一致するようになっている。またスノコ３９の幅方向両側の後端部近傍に、下方に開口する枢支凹部３９ａが夫々形成され、各枢支凹部３９ａが受皿３６の対応する前記枢支片３７ｂに係合載置されて、該スノコ３９は、枢支片３７ｂ,３７ｂを支点として後部側が下方へ傾く方向への傾動が可能に構成されている。なお、スノコ３９が載置される段部３７ａが、該枢支片３７ｂ,３７ｂより後側には形成されていないことで、受皿３６に対するスノコ３９の傾動が許容されるものである。
【００２４】
前記スノコ３９の後端部近傍において幅方向に離間する位置には、図１０に示す如く、幅方向に隣り合う縦桟(前後方向に延在する桟)の間に架設された基部４０ａ、該基部４０ａから後方向に向けて略水平に所定長さで延在する平坦部４０ｂおよび該平坦部４０ｂの後端においてスノコ３９の上面より上方に突出する係合部としての係合突起４０ｃとからなる係合部材４０が夫々形成されている。そして、スノコ３９を載置した受皿３６を前記フロントパネル２５に取付けた際に、各係合突起４０ｃがフロントパネル２５の嵌合凹部２９における上壁の対応位置に形成した被係合部としての切欠部２９ｂに係合し(図１１参照)、スノコ３９および受皿３６の前側への移動を規制するよう構成される。また、受皿３６に対してスノコ３９の後部側を下方へ傾動することで、切欠部２９ｂから係合突起４０ｃが下方に離間して係合が解徐され、スノコ３９および受皿３６の前側への移動が許容されるようになっている。
【００２５】
なお、前記係合突起４０ｃの後部には、下方か上方に向かうにつれて前方に傾斜する傾斜面４０ｄが形成され、受皿３６の嵌合凸部３８をフロントパネル２５の嵌合凹部２９に前側から嵌合する際に、該傾斜面４０ｄが嵌合凹部２９における前端上部に当接して、スノコ３９を前記枢支片３７ｂ,３７ｂを支点として傾動することで嵌合を円滑に行ない得るよう構成される。また係合部材４０の平坦部４０ｂは所要の弾性を有し、該平坦部４０ｂの弾性変形によっても係合突起４０ｃの切欠部２９ｂへの係合を容易になし得るようになっている。更に、前記係合突起４０ｃの上部前端はＲ形状に形成されており、スノコ３９に容器が載置されていない状態では、受皿３６を手前に引くことで係合突起４０ｃのＲ形状部が前記切欠部２９ｂに当接した際にスノコ３９が傾動して、該係合突起４０ｃの切欠部２９ｂに対する係合が解除されるよう構成される。但し、スノコ３９に容器が載置されている状態で、該スノコ３９には容器の重量により係合突起４０ｃが切欠部２９ｂに係合する方向への力が加わり、この状態で受皿３６を手前に引いても係合突起４０ｃの切欠部２９ｂに対する係合が解除されないようになっている。
【００２６】
前記フロントパネル２５には、図１１に示す如く、前記スノコ３９における一方の係合部材４０の形成位置の略真上に、前面側に出口４１ａが開口する筒状の接続部４１が後側に所定長さで延出するよう形成されており、該接続部４１のパネル後側に臨む部位に前記ドレンホース１７が着脱可能に接続される。すなわち、ドレンホース１７および接続部４１を介して排出されるドレン水は、フロントパネル２５の前面を流れた後に係合部材４０における平坦部４０ｂに滴下し、前記受皿３６に受容されるようになっている。なお、フロントパネル２５の前面には、前記接続部４１の出口４１ａから下方に延在する案内溝２５ｂが形成され、該出口４１ａから排出されるドレン水を係合部材４０に向けて案内するよう構成される。
【００２７】
また、前記スノコ３９には、前記注出コック２７の下方に対応する位置に、容器を載置するべき位置に目印となる通孔４２ａが穿設された板材４２が設けられている。なお、この通孔４２ａは、前記受皿３６からスノコ３９を取外す際にも使用される。
【００２８】
前記筐体１１の上部にトップパネル４３が着脱可能に配設され、該トップパネル４３により筐体１１の上部開口が閉成されるようになっている。トップパネル４３の前記飲料タンク１４と対応する位置には、該タンク１４への飲料の供給を許容するための開口部が設けられており、この開口部は、飲料タンク１４の上部開口と共に蓋体４４により開閉可能に閉成されるようになっている(図１参照)。すなわち、飲料タンク１４への飲料の供給は、前記蓋体４４を取外した状態で、開放された上部開口から行なわれる。またトップパネル４３には、前記水槽１３の上方で蓋体４４により覆われる位置に給水口４５が設けられ、水槽１３への冷却水の供給は、該給水口４５を介して行なわれるよう構成される。なお図１に示す如く、トップパネル４３における前記凝縮器１９と対応する位置に複数の吹出口４３ａが形成されており、凝縮器１９で熱交換した空気を該吹出口４３ａを介して上部に排出するようにしてある。
【００２９】
【実施例の作用】
次に、前述した実施例に係る飲料ディスペンサの作用につき説明する。前記飲料ディスペンサ１０では、前記冷凍装置１５が冷却運転を開始すると、前記蒸発管１６に冷媒が循環供給される。この冷媒が循環供給されることにより、該蒸発管１６が次第に冷却され、前記水槽１３に貯溜されている冷却水の一部が蒸発管１６の表面から氷結を開始する。この蒸発管１６の表面で成長する氷は、相互に連結し合うことにより筒状の氷塊となり、その潜熱によって水槽１３に貯溜された冷却水を経時的に冷却するに至る。また冷凍装置１５の運転開始から所定のタイミングで前記循環ポンプ１８が運転されると、水槽１３に貯溜されている冷却水が氷塊の周りを巡回して効率的に冷却される。そして、この冷却水により、前記飲料タンク１４に貯溜されている飲料が冷却される。
【００３０】
前記氷塊の製造時に、前記水槽１３からオーバーフローする冷却水が、前記ドレンホース１７を介してフロントパネル２５の接続部４１に流れる。この接続部４１に流れたドレン水は、前記案内溝２５ｂを伝ってスノコ３９の係合部材４０上に滴下し、前記受皿３６に確実に受容される。なお、ドレン水が案内溝２５ｂから前記嵌合凹部２９の上壁を伝って内側に流れた場合であっても、図１１に示す如く、当該位置には係合部材４０の係合突起４０ｃが位置しているから、該突起４０ｃによりドレン水が更に内側へ流れるのは阻止され、受皿３６の周囲を濡らして不衛生となるのを防止し得る。またドレンホース１７は、フロントパネル２５の前面側に露出しないから、飲料ディスペンサ１０の外観を損ねることはなく、しかも受皿３６の取付けおよび取外し、または容器のスノコ３９への載置および持上げ時に、該ドレンホース１７が邪魔となることはなく、作業が容易となる。
【００３１】
前記受皿３６に配設したスノコ３９に容器を載置した状態で、前記注出コック２７を開放操作することで、前記飲料タンク１４の飲料が、該コック２７から容器に注出される。このとき、スノコ３９は受皿３６に対して水平方向への移動が規制されており、また受皿３６は、その嵌合凸部３８がフロントパネル２５の嵌合凹部２９に嵌合されて上下および左右方向への移動が規制され、更にスノコ３９の係合部材４０,４０により前側への移動も規制されているから、該受皿３６に力が加わっても受皿３６およびスノコ３９が容易には移動せず、容器が倒れて飲料が零れるのは防止される。
【００３２】
前述した飲料の注出を行なうと、受皿３６には容器から溢れた飲料や、飲料注出後に注出コック２７から滴下する飲料等により経時的に汚れる。この場合は、受皿３６を手前に引出すだけで、前記フロントパネル２５から該受皿３６が取外せる。すなわち、スノコ３９に容器が載置されていない状態で受皿３６を手前に引くと、前記各係合突起４０ｃのＲ形状部が前記切欠部２９ｂに当接し、このときスノコ３９が前記枢支片３７ｂ,３７ｂを支点として後部側が下方に傾動して、該係合突起４０ｃの切欠部２９ｂに対する係合が解除される。従って、受皿３６をフロントパネル２５から取外し、外部で受皿３６やスノコ３９を清掃することができる。なお、スノコ３９に形成した通孔４２ａに手指を引掛けて該スノコ３９を積極的に傾動することで、係合突起４０ｃと切欠部２９ｂとの係合を解除してもよい。
【００３３】
また、前記受皿３６を取外したフロントパネル２５では、前記嵌合凹部２９が露出するが、従来のように取付部材やネジが突出しないので、該パネル２５の清掃等に際して手指や清掃具等が引掛かることはなく、作業を容易に行ない得る。更に、清掃した受皿３６は、前記嵌合凸部３８を嵌合凹部２９に前側から嵌合するだけでよく、取付けおよび取外しが極めて簡単である。
【００３４】
なお、前記フロントパネル２５に受皿３６を取付けた状態では、図１に示すように、前記底板１１ａの下面に取付けられた塵埃除去用のフィルタ２４の摘み２４ａは、該受皿３６により隠れているから、飲料ディスペンサ１０の外観が損なわれることはない。そして、フィルタ２４を底板１１ａから取外す場合は、受皿３６フロントパネル２５から取外すことで、前記摘み２４ａが露出し、該フィルタ２４の取外しあるいは取付けを容易に行ない得る。また受皿３６自体の取付けおよび取外しは、前述したように極めて簡単であるから、フィルタ２４の取付けおよび取外しの際に負担となることはない。
【００３５】
前記水槽１３の冷却水を抜取る場合は、前記受皿３６をフロントパネル２５から取外して、前記装着部３１に前側への引出し可能に装着されている前記排水ホース３０をフロントパネル２５の前方に引出す。この際に、フロントパネル２５に凹部３５を設けているから、装着部３１に装着されている排水ホース３０の端部や前記キャップ３２を手指で容易に摘んで前方に引出すことができる。そして、排水ホース３０からキャップ３２を取外すことで、冷却水を外部の受容器に排出し得る。すなわち、排水ホース３０をフロントパネル２５の前方に引出し得るから、大きな受容器を用いることができ、冷却水の排出処理が簡単になると共に、キャップ３２を取外す際に冷却水が零れることも防止することができる。しかも、排水ホース３０をフロントパネル２５の装着部３１に装着している状態では、該排水ホース３０は前記受皿３６で隠れ、外部に露出しないから、飲料ディスペンサ１０の外観が損なわれることがないと共に、清掃等の作業に際してキャップ３２に手指や清掃具等が当って外れることはない。
【００３６】
また、前記排水ホース３０に取付けられたキャップ３２が、装着部３１の規制部３４,３４に前側から当接することで後側への移動が規制されるから、排水ホース３０が装着部３１から抜けて筐体内部に入ってしまうことはない。しかも、キャップ３２の挟圧部３２ｃと前記筒部３３の内周面との間で排水ホース３０が挟持されるよう構成してあるので、キャップ３２が排水ホース３０から抜けるのも防止される。すなわち、キャップ３２の抜けを防止するためのバンド等の別部材を用いる必要はなく、部品点数を低減して組立て工数を少なくしたりコストを低廉に抑えることができ、また部品を紛失するのも抑制される。なお、キャップ３２が取付けられた排水ホース３０を装着部３１に装着する際に、前記挟圧部３２ｃで所要径だけ拡大した排出ホース３０の当該拡大部位の筒部内への挿入は、筒部３３に形成した傾斜面３３ｂに沿って円滑に行なわれるから、排水ホース３０が傷むのは抑制される。
【００３７】
前述した実施例では、飲料タンクに貯溜された飲料を冷却する構成のディスペンサを例に挙げて説明したが、水槽に貯溜した水(熱交換用の液体)をヒータ等で加熱することで得た湯で飲料を間接的に加熱するディスペンサでもよい。また冷却水が貯溜された水槽内に熱交換管を配設し、該管に飲料を通過する際に冷却または加温した飲料を注出コックから注出する型式のディスペンサであってもよい。更に、排水ホースの装着部は、フロントパネルに一体形成したものでなく、別体で形成した装着部を取付けたものであってもよい。更にまた、スノコや受皿の前側への移動を規制する係合部および被係合部は、実施例とは逆に、スノコに係合部としての切欠部を形成すると共に、フロントパネルに被係合部としての係合突起を形成してもよい。なお、スノコに設けた係合部材における平坦部の弾性により、係合突起をフロントパネルにおける嵌合凹部の上壁に弾力的に当接することで、スノコや受皿の前側への移動を規制する構成を採用することも可能である。
【００３８】
【発明の効果】
以上説明した如く、本発明に係る飲料ディスペンサでは、フロントパネルに対して受皿の取付けおよび取外しを簡単に行なうことができ、しかも受皿を取外した状態で、フロントパネルには前方へ突出する部材が存在せず、清掃等に際して手指や清掃具等が引掛かることはない。また、受皿の取付けに関する部品点数は少なく、組立て工数を低減し得ると共にコストを低廉に抑えることができる。更に、排水ホースもフロントパネルに取付けられる受皿の後側に位置するよう構成したので、該ホースが露出して外観が損なわれることがない。また、排水ホースをフロントパネルの前方に引出し得るから、大きな受容器を用いることができ、冷却水の排出処理が簡単になる。
【００３９】
装置本体の下面に取付けられたフィルタは、フロントパネルに取付けられている受皿により常には隠されているから、飲料ディスペンサの外観が損なわれることはない。また受皿をフロントパネルから取外せば、装置本体からのフィルタの取外しおよび取付けを簡単に行なうことができ、しかもディスペンサの高さ寸法も低く抑えることが可能である。
【００４０】
前記受皿に載置されたスノコは水平方向への移動が規制され、しかも該スノコによって受皿のフロントパネルに対する前側への移動が規制されるから、スノコに容器が載置されているときに受皿に力が加わっても、スノコや受皿が移動することで容器が倒れるのを防止でき、飲料が零れるのを防ぐことができる。
【００４１】
前記フロントパネルの後側にドレンホースを接続した構成により、該ホースが前側に露出することはなく、飲料ディスペンサの外観が損なわれることはない。また、前記排水ホースに取付けられているキャップが後側へ移動するのを規制する規制部を装着部に設けたので、該キャップは常に定位置に位置し、排水ホースの前方への引出し作業が容易となる。しかも、排水ホースを装着部に装着した状態で、前記キャップと装着部とで排水ホースを挟持するので、排水ホースからキャップが外れ難く、バンド等の固定具が不要となったので、排水処理の作業が簡単になると共に部品点数を少なくし得る利点を有する。
【図面の簡単な説明】
【図１】  本発明の好適な実施例に係る飲料ディスペンサの縦断側面図である。
【図２】  実施例に係る飲料ディスペンサの正面図である。
【図３】  実施例に係る飲料ディスペンサの底面図である。
【図４】  実施例に係る飲料ディスペンサにおける受皿の取付け部を示す要部縦断側面図である。
【図５】  実施例に係るフロントパネルの正面図である。
【図６】  実施例に係るフロントパネルの底面図である。
【図７】  実施例に係るフロントパネルの横断底面図である。
【図８】  実施例に係る受皿の平面図である。
【図９】  実施例に係る受皿の側面図である。
【図１０】  実施例に係るスノコの平面図である。
【図１１】  実施例に係るスノコとフロントパネルとの係合部位を示す要部縦断側面図である。
【符号の説明】
１１ 筐体(装置本体)，１３ 水槽(液槽)，１４ 飲料タンク
１７ ドレンホース，２４ フィルタ，２５ フロントパネル，２７ 注出コック
２９ 嵌合凹部，２９ｂ 切欠部(被係合部)，３０ 排水ホース，３１ 装着部
３２ キャップ，３２ｃ 挟圧部，３４ 規制部，３６ 受皿，３８ 嵌合凸部
３９ スノコ，４０ｃ 係合突起(係合部)，４１ 接続部，４１ａ 出口
【図１】
0003774109.tif 000002
【図２】
0003774109.tif 000003
【図３】
0003774109.tif 000004
【図４】
0003774109.tif 000005
【図５】
0003774109.tif 000006
【図６】
0003774109.tif 000007
【図７】
0003774109.tif 000008
【図８】
0003774109.tif 000009
【図９】
0003774109.tif 000010
【図１０】
0003774109.tif 000011
【図１１】
0003774109.tif 000012